(57)【要約】  【課題】光ディスクに対して情報の処理を行う際に、部品点数が少なく簡単な構造で、ディスク搬送機構を動作させないようにする。  【解決手段】ディスク搬送機構、ディスクチャック機構、およびピックアップ送り機構をそれぞれ単一のモータ１０の駆動力で動作させる光ディスクプレーヤに、複数のギヤ４１〜４８から構成され、モータ１０の駆動力を上記３つの機構に伝達する経路を有するギヤ列４０と、ディスクチャック機構の一構成部品であり、モータ１０の駆動力を受けてＬ、Ｒ方向へ往復移動するカムスライダ１２を設ける。カムスライダ１２はＬ、Ｒ方向へ移動することで、光ディスクをチャック状態またはチャック解除状態にし、ギヤ４６に対して離間しまたは当接して、ギヤ４６を軸方向へ移動させて、ギヤ４７に噛み合わせずまたは噛み合わせ、ディスク搬送ローラ３１へのモータ１０の駆動力の伝達経路を切断状態または連結状態にする。【選択図】  図３Ａ
2006202455.tif 000002
【特許請求の範囲】
【請求項１】
光ディスクと接触可能に設けた搬送ローラの回転によって光ディスクを当該装置の内部または外部へ搬送するディスク搬送機構と、内部へ搬送した光ディスクを回転可能にチャックするディスクチャック機構と、チャックした光ディスクの径方向へ光ピックアップを往復移動させるピックアップ送り機構と、前記ディスク搬送機構、前記ディスクチャック機構、および前記ピックアップ送り機構をそれぞれ動作させるための駆動力を発生する単一のモータとを備えた光ディスク処理装置において、
複数のギヤから構成され、前記モータが発生した駆動力を前記ディスク搬送機構、前記ディスクチャック機構、および前記ピックアップ送り機構にそれぞれ伝達する経路を有するギヤ列と、
前記ディスクチャック機構の一構成部品であって、前記ギヤ列によって伝達された前記モータの駆動力を受けて前記ギヤ列に対して近づく方向または離れる方向へ往復移動するカムスライダと、
前記ギヤ列の１のギヤを隣接する他のギヤから離間させる一方の軸方向へ付勢するばねと、を備え、
光ディスクを搬送する際に、前記カムスライダが前記モータの駆動力を受けて前記ギヤ列に近づく方向へ移動することにより、前記光ディスクがチャック解除状態になり、かつ、前記カムスライダが前記１のギヤに当接して当該１のギヤを押圧し、当該１のギヤが前記一方の軸方向とは反対の他方の軸方向へ移動して前記他のギヤに噛み合い、前記ディスク搬送機構への前記モータの駆動力の伝達経路が連結状態になり、
光ピックアップにより光ディスクに対して情報の処理を行う際に、前記カムスライダが前記モータの駆動力を受けて前記ギヤ列から離れる方向へ移動することにより、前記光ディスクがチャック状態になり、かつ、前記カムスライダが前記１のギヤから離間し、当該１のギヤが前記ばねの付勢力によって前記一方の軸方向へ移動して前記他のギヤに噛み合わなくなり、前記ディスク搬送機構への前記モータの駆動力の伝達経路が切断状態になることを特徴とする光ディスク処理装置。
【請求項２】
光ディスクを当該装置の内部または外部へ搬送するディスク搬送機構と、内部へ搬送した光ディスクを回転可能にチャックするディスクチャック機構と、チャックした光ディスクの径方向へ光ピックアップを往復移動させるピックアップ送り機構と、前記ディスク搬送機構、前記ディスクチャック機構、および前記ピックアップ送り機構をそれぞれ動作させるための駆動力を発生する単一の駆動源とを備えた光ディスク処理装置において、
複数のギヤから構成され、前記駆動源が発生した駆動力を前記ディスク搬送機構、前記ディスクチャック機構、および前記ピックアップ送り機構にそれぞれ伝達する経路を有するギヤ列と、
前記ディスクチャック機構の一構成部品であって、前記ギヤ列によって伝達された前記駆動源の駆動力を受けて往復移動することにより、前記光ディスクをチャック状態またはチャック解除状態にし、かつ、前記ギヤ列の１のギヤに対して当接しまたは離間して当該１のギヤを軸方向へ移動させ、前記ディスク搬送機構への前記駆動源の駆動力の伝達経路を切断状態または連結状態にするスライド部材と、を備えたことを特徴とする光ディスク処理装置。
【請求項３】
請求項２に記載の光ディスク処理装置において、
前記ギヤ列の前記１のギヤを隣接する他のギヤから離間させる一方の軸方向へ付勢する付勢部材を備え、
光ディスクを搬送する際に、前記スライド部材が前記駆動源の駆動力を受けて前記ギヤ列に近づく方向へ移動することにより、前記光ディスクがチャック解除状態になり、かつ、前記スライド部材が前記１のギヤに当接して当該１のギヤを押圧し、当該１のギヤが前記一方の軸方向とは反対の他方の軸方向へ移動して前記他のギヤに噛み合い、前記ディスク搬送機構への前記駆動源の駆動力の伝達経路が連結状態になり、
光ピックアップにより光ディスクに対して情報の処理を行う際に、前記スライド部材が前記駆動源の駆動力を受けて前記ギヤ列から離れる方向へ移動することにより、前記光ディスクがチャック状態になり、かつ、前記スライド部材が前記１のギヤから離間し、当該１のギヤが前記付勢部材の付勢力によって前記一方の軸方向へ移動して前記他のギヤに噛み合わなくなり、前記ディスク搬送機構への前記駆動源の駆動力の伝達経路が切断状態になることを特徴とする光ディスク処理装置。
【発明の詳細な説明】
【技術分野】
【０００１】
本発明は、光ピックアップにより光ディスクに対して情報の処理を行う光ディスク処理装置に関するものである。
【背景技術】
【０００２】
一般に、光ディスク処理装置は、例えばＤＶＤ（Digital Versatile Disk）のような光ディスクを装置の前面等に設けられた出し入れ部を通して装置の内部へ取り込み、ターンテーブルとクランパとを接近させて、これらの間に光ディスクを挟み込んで保持（チャック）する。そして、スピンドルモータによってターンテーブルを介して光ディスクを回転させながら、光ピックアップを光ディスクの径方向へ往復移動させて、光ピックアップから光ディスクの情報記録面にレーザー光を照射させることにより、光ディスクから情報を読み取って再生したり、光ディスクに情報を記録したりする。情報の処理が終了した後は、ターンテーブルとクランパとを離して、光ディスクのチャックを解除し、光ディスクを出し入れ部から装置の外部へ排出する。
【０００３】
光ディスクを装置の内部または外部へ搬送するディスク搬送機構や、光ディスクを回転可能にチャックするディスクチャック機構や、光ピックアップを光ディスクの径方向へ移動させるピックアップ送り機構を動作させる駆動源としては、モータが一般的に用いられている。光ディスク処理装置には、３つのモータによって上記３つの機構をそれぞれ動作させるものがあるが、単一のモータによって上記３つの機構をそれぞれ動作させるものもある。単一のモータによって上記３つの機構をそれぞれ動作させる光ディスク処理装置では、光ディスクに対して情報の処理（例えば光ディスクの記録情報の再生）を行うために、ピックアップ送り機構によって光ピックアップを移動させたときに、ディスク搬送機構が同調して動作してしまうと、モータにかかる負荷が増大し、電力が無駄に消費され、騒音が発生するといった問題が生じる。
【０００４】
ところで、下記の特許文献１〜３には、出し入れ部の近傍に光ディスクと接触可能に設けられた搬送ローラの回転により、出し入れ部に挿入された光ディスクを内部へ搬送し、または内部にある光ディスクを出し入れ部から外部へ突出するように搬送するスロットイン方式のディスク搬送機構と、当該ディスク搬送機構、ディスクチャック機構、およびピックアップ送り機構をそれぞれ動作させる単一のモータとを備えた光ディスク処理装置が開示されている。具体的には、特許文献１では、切り替えアームの回動により、単一のモータの駆動力をピックアップ送り機構とスライド部材とに切り替えて伝達し、スライド部材の移動により、スライド部材に伝達した駆動力をディスクチャック機構に伝達し、スライド部材の移動により、ローラアームを介して搬送ローラを移動させて、前記駆動力をディスク搬送機構に伝達する経路を切断しまたは連結している。ディスク搬送機構に伝達している。特許文献２では、トリガ部材と第２のスライダと第１のスライダの連続移動により、単一のモータの駆動力をディスクチャック機構に伝達するとともに、搬送ローラを移動させて、前記駆動力をディスク搬送機構に伝達する経路を切断しまたは連結し、スイングプレートとアイドラギヤの回動により、前記駆動力をピックアップ送り機構に伝達する経路を切断しまたは連結している。特許文献３では、トリガアームとトリガスライダと第１のスライダの連続移動により、単一のモータの駆動力をディスクチャック機構に伝達し、トリガアームとトリガスライダの連続移動およびサンギヤとロックアームの連続回動により、前記駆動力をピックアップ送り機構とディスク搬送機構とに切り替えて伝達している。
【０００５】
また、下記の特許文献４〜６には、光ディスクが載置されるトレイの移動により、光ディスクを内部または外部へ搬送するトレイ方式のディスク搬送機構と、当該ディスク搬送機構、ディスクチャック機構、およびピックアップ送り機構をそれぞれ動作させる単一のモータとを備えた光ディスク処理装置が開示されている。具体的には、特許文献４では、複数のギヤの連続回動により、単一のモータの駆動力をピックアップ送り機構に伝達し、複数のギヤの連続回動および仲介レバーとアームジョイントの連続回動により、カムスライダを移動させて、前記駆動力をディスクチャック機構に伝達する経路とディスク搬送機構に伝達する経路とをそれぞれ切断しまたは連結している。特許文献５では、複数のギヤの連続回動により、単一のモータの駆動力をピックアップ送り機構に伝達し、複数のギヤの連続回動およびトリガプレートの移動により、カムスライダを移動させて、前記駆動力をディスクチャック機構に伝達し、カムスライダの移動により、トレイを移動させて、前記駆動力をディスク搬送機構に伝達する経路を切断しまたは連結している。特許文献６では、複数のギヤの連続回動により、単一のモータの駆動力をピックアップ送り機構に伝達し、複数のギヤの連続回動およびアームの回動により、前記駆動力をディスク搬送機構に伝達する経路を切断しまたは連結するとともに、ラックを移動させて、前記駆動力をディスクチャック機構に伝達している。なお、特許文献６には、ディスクチャック機構の詳細構造や詳細動作は開示されていない。
【０００６】
さらに、下記の特許文献７には、出し入れ部から挿入された光ディスクを保持するホルダの移動により、光ディスクを内部または外部へ搬送するホルダ方式のディスク搬送機構と、当該ディスク搬送機構、ディスクチャック機構、およびピックアップ送り機構をそれぞれ動作させる単一のモータとを備えた光ディスク処理装置が開示されている。具体的には、特許文献７では、複数のギヤの連続回動と切替レバーの回動により、単一のモータの駆動力をスレッドスライダ等から構成されるピックアップ送り機構とローディングスライダやトレイ等から構成されるディスク搬送機構およびディスクチャック機構とに切り替えて伝達している。なお、特許文献７には、トレイとディスク搬送機構とディスクチャック機構の詳細構造や詳細動作は開示されていない。
【特許文献１】特開２００４−１４５９１３号公報
【特許文献２】特開２００３−２５７１０６号公報
【特許文献３】特開２００３−１４１８００号公報
【特許文献４】特開２００４−２４１０６７号公報
【特許文献５】特開２００４−１８５７７１号公報
【特許文献６】特開２００４−１５２３９０号公報
【特許文献７】特開２００３−１７３６０７号公報
【発明の開示】
【発明が解決しようとする課題】
【０００７】
上述した特許文献１〜７のような光ディスク処理装置では、単一のモータの駆動力がピックアップ送り機構に伝達されているときは、当該駆動力がディスク搬送機構に伝達されないので、光ディスクに対して情報の処理を行う際に、ディスク搬送機構が光ピックアップの移動に同調して動作することはない。しかしながら、特許文献１〜４のような光ディスク処理装置では、単一のモータの駆動力をディスク搬送機構に伝達する状態と伝達しない状態とを切り替えるための部品点数が多く、構造が複雑であるという難点がある。また、特許文献１、２、５のような光ディスク処理装置では、上記駆動力の伝達状態を切り替えるために、搬送ローラやトレイといったディスク搬送機構の構成部品の位置を移動させるので、当該移動を行うための構造が複雑であるという難点がある。さらに、特許文献６、７のような光ディスク処理装置では、上記駆動力の伝達状態を切り替えるための部品と連動して、該駆動力をディスクチャック機構に伝達する構造が不明であるが、当該構造を考慮すると、部品点数が多くなり、構造が複雑になるおそれがある。
【０００８】
本発明は、上記問題点を解決するものであって、その課題とするところは、光ディスクに対して情報の処理を行う際に、部品点数が少なく簡単な構造で、ディスク搬送機構を動作させないようにすることが可能な光ディスク処理装置を提供することにある。
【課題を解決するための手段】
【０００９】
本発明は、光ディスクを当該装置の内部または外部へ搬送するディスク搬送機構と、内部へ搬送した光ディスクを回転可能にチャックするディスクチャック機構と、チャックした光ディスクの径方向へ光ピックアップを往復移動させるピックアップ送り機構と、ディスク搬送機構、ディスクチャック機構、およびピックアップ送り機構をそれぞれ動作させるための駆動力を発生する単一の駆動源とを備えた光ディスク処理装置において、複数のギヤから構成され、駆動源が発生した駆動力をディスク搬送機構、ディスクチャック機構、およびピックアップ送り機構にそれぞれ伝達する経路を有するギヤ列と、ディスクチャック機構の一構成部品であって、ギヤ列によって伝達された駆動源の駆動力を受けて往復移動することにより、光ディスクをチャック状態またはチャック解除状態にし、かつ、ギヤ列の１のギヤに対して当接しまたは離間して当該１のギヤを軸方向へ移動させ、ディスク搬送機構への駆動源の駆動力の伝達経路を切断状態または連結状態にするスライド部材とを設ける。
【００１０】
上記のようにすると、光ディスクに対して情報の処理を行う際、即ち単一の駆動源の駆動力がギヤ列によってピックアップ送り機構に伝達されて、光ピックアップが移動する際に、スライド部材がギヤ列によって伝達された駆動源の駆動力を受けて移動して、ギヤ列の１のギヤを軸方向へ移動させ、ディスク搬送機構への駆動力の伝達経路を切断状態にすることで、駆動力がディスク搬送機構に伝達されなくなるので、ディスク搬送機構が光ピックアップの移動に同調して動作しなくなる。また、スライド部材がディスクチャック機構の一構成部品であるとともに、単一の駆動源の駆動力をディスク搬送機構に伝達する状態と伝達しない状態とを切り替えるための部品でもあり、当該伝達状態の切り替えのためにディスク搬送機構の構成部品の位置を移動させる必要がないので、従来に比べて部品点数が少なくなり、構造が簡単になる。よって、光ディスクに対して情報の処理を行う際に、部品点数が少なく簡単な構造で、ディスク搬送機構を動作させないようにすることが可能となる。またこの結果、光ディスクに対して情報の処理を行う際に、駆動源にかかる負荷と電力消費量と騒音とをそれぞれ低減することが可能となる。
【００１１】
また、本発明の一実施形態では、上記構成に加えて、ギヤ列の前記１のギヤを隣接する他のギヤから離間させる一方の軸方向へ付勢する付勢部材を設けている。そしてこの構成において、光ディスクを搬送する際に、スライド部材が駆動源の駆動力を受けてギヤ列に近づく方向へ移動することにより、光ディスクがチャック解除状態になり、かつ、スライド部材が１のギヤに当接して当該１のギヤを押圧し、当該１のギヤが前記一方の軸方向とは反対の他方の軸方向へ移動して他のギヤに噛み合い、ディスク搬送機構への駆動源の駆動力の伝達経路が連結状態になる。また、光ピックアップにより光ディスクに対して情報の処理を行う際に、スライド部材が駆動源の駆動力を受けてギヤ列から離れる方向へ移動することにより、光ディスクがチャック状態になり、かつ、スライド部材が１のギヤから離間し、当該１のギヤが付勢部材の付勢力によって前記一方の軸方向へ移動して他のギヤに噛み合わなくなり、ディスク搬送機構への駆動源の駆動力の伝達経路が切断状態になる。
【００１２】
上記のようにすると、光ディスクを搬送する際には、スライド部材がギヤ列に近づく方向へ移動することにより、光ディスクがチャック解除状態になり、かつ、ディスク搬送機構への駆動力の伝達経路が連結状態になるので、ディスク搬送機構がギヤ列によって伝達される駆動源の駆動力を受けて動作し、光ディスクを本光ディスク処理装置の内部または外部へ搬送することができ、その際、ディスクチャック機構に光ディスクの搬送を邪魔されることはない。また、光ディスクに対して情報の処理を行う際には、スライド部材がギヤ列から離れる方向へ移動することにより、光ディスクがチャック状態になり、かつ、ディスク搬送機構への駆動力の伝達経路が切断状態になるので、光ディスクを回転させて光ピックアップにより当該光ディスクに対して情報の処理を行うことができ、その際、駆動源の駆動力がギヤ列によってピックアップ送り機構に伝達されても、当該駆動力がディスク搬送機構に伝達されることはなく、光ピックアップの移動に同調してディスク搬送機構を動作させないようにすることができる。また、スライド部材が駆動源の駆動力を受けて移動して、ギヤ列の１のギヤに対して当接しまたは離間することで、当該１のギヤがスライド部材の押圧力または付勢部材の付勢力によって軸方向へ移動して、他のギヤに噛み合いまたは噛み合わなくなり、ディスク搬送機構への駆動力の伝達経路が切断されまたは連結されるので、ディスク搬送機構への駆動力の伝達状態と非伝達状態とを切り替える構造がより簡単になる。
【００１３】
さらに、本発明の一実施形態では、ディスク搬送機構として、光ディスクと接触可能に設けた搬送ローラの回転によって光ディスクを当該装置の内部または外部へ搬送するスロットイン方式の搬送機構を用いている。また、単一の駆動源として、モータを用い、スライド部材として、カムスライダを用い、付勢部材として、ばねを用いている。
【００１４】
上記のようにすると、単一のモータの駆動力がギヤ列によってピックアップ送り機構に伝達されているときに、カムスライダがギヤ列によって伝達された駆動力を受けてギヤ列から離れる方向へ移動することで、ギヤ列の１のギヤが軸方向へ移動して他のギヤと噛み合わなくなり、ディスク搬送機構への駆動力の伝達経路が切断状態になって、駆動力がディスク搬送機構に伝達されなくなる。よって、光ピックアップにより光ディスクに対して情報の処理を行う際に、部品点数が少なく簡単な構造で、ディスク搬送機構の搬送ローラ等を光ピックアップの移動に同調して動作させないようにすることができ、モータにかかる負荷と電力消費量と騒音とをそれぞれ低く抑えることが可能となる。
【発明の効果】
【００１５】
本発明によれば、光ピックアップにより光ディスクに対して情報の処理を行う際に、ディスクチャック機構の一構成部品であるスライド部材が、駆動源の駆動力を受けて移動して、ギヤ列の１のギヤを軸方向へ移動させ、ディスク搬送機構への駆動力の伝達経路を切断状態にすることで、部品点数が少なく簡単な構造で、光ピックアップの移動に同調してディスク搬送機構を動作させないようにすることができ、この結果、駆動源にかかる負荷と電力消費量と騒音とをそれぞれ低減することが可能となる。
【発明を実施するための最良の形態】
【００１６】
図１は、光ディスクプレーヤ１と光ディスク２を示す図である。図１において、光ディスクプレーヤ１は、ＤＶＤ（Digital Versatile Disk）等の光ディスク２に記録された映像や音声の情報を読み取って再生する。３は光ディスクプレーヤ１に内蔵された光ディスクドライブであって、光ディスク２から情報を読み取る。４は光ディスクドライブ３の上ケース、５は光ディスクドライブ３の下ケースである。６は光ディスクドライブ３の前面に設けられた開口からなる出し入れ部、７は光ディスクプレーヤ１の前面に設けられた開口からなる出し入れ部である。これらの出し入れ部６、７は連通していて、これらの出し入れ部６、７を通して光ディスク２を光ディスクドライブ３の内部へ挿入したり、光ディスク２を光ディスクドライブ３の内部から取り出したりすることができる。なお、光ディスク２が出し入れ部６、７から挿入されたことや取り出されたことは、図示しないセンサによって検出される。Ｆは光ディスクドライブ３への光ディスク２の挿入方向、Ｂは光ディスクドライブ３からの光ディスク２の取出方向を示している。
【００１７】
８は光ディスクプレーヤ１の前面に設けられた操作部である。操作部８は、光ディスクプレーヤ１の電源をＯＮ状態またはＯＦＦ状態にさせる電源ボタン、光ディスク２を光ディスクドライブ３の内部または外部へ搬送（取り込みまたは排出）させる搬送ボタン、内部に搬送された光ディスク２の記録情報を再生させる再生ボタン、当該再生を停止させる停止ボタン等の各種のボタン等から構成されている。これらの他にも、光ディスクプレーヤ１には、光ディスクドライブ３等に電力を供給する電源ユニット、光ディスクドライブ３により読み取った光ディスク２の情報を再生する信号処理回路、再生信号をテレビ等の外部装置へ送信する通信回路等が備わっている。光ディスクプレーヤ１は、本発明に係る光ディスク処理装置の一実施形態を構成する。
【００１８】
図２〜図５Ｂは、光ディスクドライブ３の内部構造を示す図である。詳しくは、図２は、光ディスクドライブ３の上ケース４の図示を省略した平面図である。図３Ａ〜図３Ｄは、光ディスクドライブ３のギヤ列とカムスライダの近傍の平面図である。図４は、光ディスクドライブ３のギヤ列近傍の斜視図である。図５Ａおよび図５Ｂは、（ａ）が光ディスクドライブ３のカムスライダ近傍の斜視図であり、（ｂ）が光ディスクドライブ３のカムスライダ近傍の正面図である。
【００１９】
最初に、光ディスクドライブ３の各部の構造について説明する。図２において、下ケース５の開口部５ａから見える１１は、下ケース５の下方（図２では紙面に垂直に向う方向、図１ではＤ方向）に配置されたシャーシである。シャーシ１１のＦ方向側には、左右方向Ｌ、Ｒへ突出するように支持部１１ａが設けられていて、この支持部１１ａは、下ケース５に回転可能に支持されている。１０はシャーシ１１に斜め下向きに取り付けられたモータ、４０は図２〜図４に示す複数のギヤ４１〜４８から構成されるギヤ列である。ギヤ列４０は、モータ１０が発生した正転駆動力または逆転駆動力を、後述するディスク搬送機構、ディスクチャック機構、およびピックアップ送り機構にそれぞれ伝達する経路を有している。モータ１０は、本発明における単一のモータおよび駆動源の一実施形態を構成し、ギヤ列４０は、本発明におけるギヤ列の一実施形態を構成する。
【００２０】
ギヤ列４０に含まれるギヤ４１は、ウォームギヤであって、図３Ｂ〜図３Ｄに示すようにモータ１０の回転軸１０ａに取り付けられている。ギヤ４２は、３つの歯部４２ａ〜４２ｃが形成された３段ギヤであって、図４に示すように、下段歯部４２ａがウォームギヤ４１と噛み合い、中段歯部４２ｂがギヤ４３と噛み合い、上段歯部４２ｃがラックスライダ２１、２２に設けられたラック部２１ａ、２２ａと噛み合うようにシャーシ１１に回転可能に取り付けられている。ギヤ４３は、ギヤ４２の中段歯部４２ｂとギヤ４４とに噛み合うようにシャーシ１１に回転可能に取り付けられている。ギヤ４４は、ギヤ４３とギヤ４５とに噛み合うようにシャーシ１１に回転可能に取り付けられている。ギヤ４５は、ギヤ４４とギヤ４６の上歯部４６ａとカムスライダ１２のラック部１２ａとに噛み合うように下ケース５に回転可能に取り付けられている。ギヤ４６は、上歯部４６ａがギヤ４５と噛み合い、図５Ａ（ｂ）および図５Ｂ（ｂ）に示すように斜めに傾斜した下歯部４６ｂがギヤ４７の斜めに傾斜した左歯部４７ａと噛み合いまたは当該噛み合いが外れるように下ケース５に回転可能かつ軸方向（上下方向）Ｕ、Ｄへ移動可能に取り付けられている。１９はギヤ４６を隣接するギヤ４７から離間する方向Ｕへ付勢するコイルばねである。コイルばね１９は、本発明におけるばねの一実施形態を構成する。ギヤ４７は、左歯部４７ａがギヤ４６の下歯部４６ｂと噛み合い、右歯部４７ｂが図２〜図４に示すようにギヤ４８と噛み合うように下ケース５に回転可能に取り付けられている。ギヤ４８は、搬送ローラ３１に取り付けられている。
【００２１】
カムスライダ１２は、図２に示すように下ケース５に移動可能に取り付けられている。カムスライダ１２の上部には、ラック部１２ａとリブ部１２ｂとＵ形溝１２ｃと、ガイド溝１２ｄとが設けられている。ラック部１２ａには、前述のギヤ４５が噛み合い、Ｕ形溝１２ｃにはギヤ４５が入り込む。リブ部１２ｂには、前述のギヤ４６の上面が当接する。ガイド溝１２ｄには、下ケース５に取り付けられたサポートプレート１３のＢ方向側に下方へ突出するように設けられたボス部１３ａが係合している。カムスライダ１２の下部には、図５Ａおよび図５Ｂに示すように２つのカム溝１２ｅ、１２ｆが設けられている。大幅のカム溝１２ｅには、シャーシ１１のＢ方向側にＢ方向へ突出するように設けられたボス部１１ｂが係合している。小幅のカム溝１２ｆには、図２に示すようにシャーシ１１に移動可能に取り付けられたトリガスライダ１４のＢ方向側にＢ方向へ突出するように設けられたボス部１４ａが係合している。
【００２２】
カムスライダ１２のラック部１２ａにギヤ４５が噛み合った状態で、当該ギヤ４５がギヤ４１〜４４によって伝達されたモータ１０の駆動力を受けて回転することで、カムスライダ１２はギヤ列４０に近づく方向Ｒまたはギヤ列４０から離れる方向Ｌへ移動する。この際、カムスライダ１２のガイド溝１２ｄの側壁がサポートプレート１３のボス部１３ａに押されることで、カムスライダ１２はガイド溝１２ｄに沿ってＦ、Ｂ方向へも移動する。また、カムスライダ１２のカム溝１２ｅの側壁がシャーシ１１のボス部１１ｂを押すことで、シャーシ１１が支持部１１ａを中心に回転しながら昇降する。カムスライダ１２は、本発明におけるカムスライダおよびスライド部材の一実施形態を構成する。
【００２３】
図２の略中央に破線で示す１５は、シャーシ１１に取り付けられたスピンドルモータである。１６はスピンドルモータ１５の回転軸（図示省略）に取り付けられたターンテーブルである。上述したようにカムスライダ１２の移動にともなってシャーシ１１が昇降することで、ターンテーブル１６は上ケース４に取り付けられたクランパ（図示省略）との間に光ディスク２をチャック（挟み込んで該光ディスク２を保持）し、または当該チャックを解除する。なお、光ディスク２がチャックされたことは、図示しないセンサによって検出される。そして、光ディスク２をチャックした状態で、ターンテーブル１６がスピンドルモータ１５の発生した駆動力を受けて回転することで、光ディスク２は回転する。シャーシ１１、カムスライダ１２、ターンテーブル１６、およびクランパは、本発明におけるディスクチャック機構の一実施形態を構成する。また、モータ１０からカムスライダ１２へ到るギヤ４１〜４５の経路は、本発明におけるディスクチャック機構への駆動源の駆動力の伝達経路の一実施形態を構成する。
【００２４】
図２のＦ方向側に示す２０は、レーザーダイオードやレンズや磁石やコイル等から構成された光ピックアップである。光ピックアップ２０は、シャーシ１１にＦ、Ｂ方向へ移動可能に取り付けられている。ラックスライダ２１、２２は、図４に示すように上ラックスライダ２１と下ラックスライダ２２とから構成されていて、両方ともシャーシ１１にＦ、Ｂ方向へ移動可能に取り付けられている。上下ラックスライダ２１、２２のＲ方向側には、ギヤ４２の上段歯部４２ｃが噛み合うラック部２１ａ、２２ａが設けられていて、上ラックスライダ２１のラック部２１ａは下ラックスライダ２２のラック部２２ａよりもＦ方向側に長くなっている。上ラックスライダ２１の上面には、上方へ突出するようにボス部２１ｂが設けられている。下ラックスライダ２２のＬ方向側には、光ピックアップ２０が連結されている。２３は上ラックスライダ２１と下ラックスライダ２２のずれ（遊び）をなくすためのコイルばねである。
【００２５】
上下ラックスライダ２１、２２のラック部２１ａ、２２ａにギヤ４２の上段歯部４２ｃが噛み合った状態で、当該ギヤ４２がギヤ４１によって伝達されたモータ１０の駆動力を受けて回転することで、上下ラックスライダ２１、２２がＦ、Ｂ方向へ移動する。この際、下ラックスライダ２２が、光ピックアップ２０をＦ、Ｂ方向、即ちターンテーブル１６等にチャックされた光ディスク２の径方向へ移動させる。移動範囲は、光ディスク２の最外周部から最内周部までとなるように、シャーシ１１に設けられたストッパ（図示省略）によって規制されている。光ピックアップ２０は、光ディスク２の径方向Ｆ、Ｂへ移動しながら、ターンテーブル１６等によって回転している光ディスク２の情報記録面にレーザー光を照射させて、光ディスク２から情報を読み取る。光ピックアップ２０は、本発明における光ピックアップの一実施形態を構成し、上下ラックスライダ２１、２２は、本発明におけるピックアップ送り機構の一実施形態を構成する。また、モータ１０から上下ラックスライダ２１、２２へ到るギヤ４１、４２の経路は、本発明におけるピックアップ送り機構への駆動源の駆動力の伝達経路の一実施形態を構成する。
【００２６】
また、上述するように光ピックアップ２０が光ディスク２の最内周部（最もターンテーブル１６に近づく位置）まで移動すると、上ラックスライダ２１のラック部２１ａが上段歯部４２ｃと噛み合ったまま下ラックスライダ２２のラック部２２ａが上段歯部４２ｃから外れた状態となり、上ラックスライダ２１だけがＢ方向へ移動する。そして、上ラックスライダ２１のボス部２１ｂが、図３Ｂ〜図３Ｄに示すようにトリガスライダ１４のＦ方向側に設けられたガイド溝１４ｂに係合する。この係合状態で、上ラックスライダ２１がＦ、Ｂ方向へ移動すると、ボス部２１ｂがガイド溝１４ｂの側壁を押すことで、トリガスライダ１４はＬ、Ｒ方向へ移動する。そして、トリガスライダ１４のボス部１４ａがカムスライダ１２のカム溝１２ｆ（図５Ａ、図５Ｂ）の側壁を押すことで、カムスライダ１２はＬ、Ｒ方向およびＦ、Ｂ方向へ若干移動する。
【００２７】
搬送ローラ３１の軸部３１ａの両端は、上ケース４に回転可能に支持されていて、搬送ローラ３１のローラ部３１ｂは、ゴム等の弾性体からなり、光ディスク２の下面と接触する。光ディスク２は、搬送ローラ３１のローラ部３１ｂと該ローラ部３１ｂと対向するように上ケース４に設けられたディスクガイド部（図示省略）との間を通過する。ギヤ４６の下歯部４６ｂとギヤ４７の左歯部４７ａとが噛み合った状態で、ギヤ４６がギヤ４１〜４５によって伝達されたモータ１０の駆動力を受けて回転すると、ギヤ４７、４８とともに搬送ローラ３１が回転して、光ディスク２を光ディスクドライブ３の内部または外部へ搬送する。なお、光ディスク２の外部への搬送は、光ディスク２が前述の出し入れ部６、７（図１）から取り出し可能に突出するまで行われる。また、光ディスク２が出し入れ部６、７から取り出し可能に突出したことは、図示しないセンサによって検出される。搬送ローラ３１は、本発明における搬送ローラの一実施形態を構成し、上ケース４のディスクガイド部とともに、本発明におけるディスク搬送機構の一実施形態を構成する。また、モータ１０から搬送ローラ３１へ到るギヤ４１〜４８の経路は、本発明におけるディスク搬送機構への駆動源の駆動力の伝達経路の一実施形態を構成する。
【００２８】
次に、光ディスクドライブ３の各部の動作について説明する。前述の操作部８（図１）の再生ボタンが操作されて、光ディスクドライブ３の内部に取り込んだ光ディスク２の記録情報を再生する際は、各部は図２、図３Ａ、図４、および図５Ａに示すような状態になっている。即ち、カムスライダ１２が最もＬ方向へ移動して、ラック部１２ａとギヤ４５とが噛み合わなくなっている。また、カムスライダ１２のリブ部１２ｂがギヤ４６から離間していて、図５Ａに示すようにギヤ４６がコイルばね１９の弾性力（付勢力）によって上方（一方の軸方向）Ｕへ移動していて、ギヤ４６の下歯部４６ｂとギヤ４７の左歯部４７ａとが噛み合っておらず、搬送ローラ３１へのモータ１０の駆動力の伝達経路が切断状態になっている。また、サポートプレート１３のボス部１３ａがカムスライダ１２のガイド溝１２ｄのＲ方向側の端に位置している。
【００２９】
また、図５Ａ（ｂ）に示すようにトリガスライダ１４のボス部１４ａがカムスライダ１２のカム溝１２ｆの上部（Ｕ方向側）に位置していて、トリガスライダ１４が最もＬ方向へ移動している。また、シャーシ１１のボス部１１ｂがカムスライダ１２のカム溝１２ｅの上部に位置していて、シャーシ１１が下ケース５と平行になるように上昇した姿勢を維持している。また、図２等に示すターンテーブル１６がクランパとの間に光ディスク２をチャックしていて、スピンドルモータ１５の駆動力を受けて光ディスク２を回転させている。光ディスク２は搬送ローラ３１から離間している。
【００３０】
さらに、上下ラックスライダ２１、２２のラック部２１ａ、２２ａとギヤ４２の上段歯部４２ｃとが噛み合っていて、上下ラックスライダ２１、２２がギヤ４１、４２によって伝達されるモータ１０の駆動力を受けてＦ、Ｂ方向へ移動し、光ピックアップ２０を光ディスク２の径方向Ｆ、Ｂに移動させている。詳しくは、モータ１０が正転駆動すると、ギヤ４１が反時計回りに回転し、ギヤ４２の３つの歯部４２ａ〜４２ｃが全て時計回りに回転し、上下ラックスライダ２１、２２がＦ方向へ移動して、光ピックアップ２０を光ディスク２の外周部へ向かって（Ｆ方向側へ）移動させる。また、モータ１０が逆転駆動すると、ギヤ４１が時計回りに回転し、ギヤ４２の３つの歯部４２ａ〜４２ｃが全て反時計回りに回転し、上下ラックスライダ２１、２２がＢ方向へ移動して、光ピックアップ２０を光ディスク２の内周部へ向かって（Ｂ方向側へ）移動させる。光ピックアップ２０は移動しながら、光ディスク２の情報記録面にレーザー光を照射させて、光ディスク２から情報を読み取っている。光ピックアップ２０が読み取った情報は、光ディスクプレーヤ１の前述の信号処理部によって再生されている。図２、図３Ａ、および図４では、光ピックアップ２０が光ディスク２の最外周部まで移動した状態を示している。光ピックアップ２０を移動させている際、ギヤ４１〜４６まではモータ１０の駆動力を受けて回転するが、上述したようにギヤ４６の下歯部４６ｂとギヤ４７の左歯部４７ａとが噛み合っていないので、ギヤ４７、４８および搬送ローラ３１が回転することはない。
【００３１】
上記のような状態から、例えば操作部８の停止ボタンが操作されて、光ディスク２の記録情報の再生を停止する際は、スピンドルモータ１５が駆動を停止して、光ディスク２の回転を停止させる。また、モータ１０が駆動を停止して、光ピックアップ２０の光ディスク２の径方向Ｆ、Ｂへの移動を停止させる。さらに、光ピックアップ２０が光ディスク２からの情報の読み取りを停止する。
【００３２】
再生停止後、操作部８の搬送ボタンが操作されて、光ディスク２を外部へ排出する際は、モータ１０が逆転駆動する。すると、ギヤ４１が時計回りに回転し、ギヤ４２の３つの歯部４２ａ〜４２ｃが全て反時計回りに回転し、上下ラックスライダ２１、２２がＢ方向へ移動して、光ピックアップ２０を光ディスク２の最内周部へ向けて移動させる。光ピックアップ２０が光ディスク２の最内周部まで移動して前述のストッパにより停止すると、下ラックスライダ２２のラック部２２ａとギヤ４２の上段歯部４２ｃとが噛み合わなくなって、下ラックスライダ２２が移動を停止する。一方、上ラックスライダ２１のラック部２１ａとギヤ４２の上段歯部４２ｃとは噛み合ったままで、上ラックスライダ２１が下ラックスライダ２２とずれながらさらにＢ方向へ移動する。そして、上ラックスライダ２１単独のＢ方向への移動により、図３Ｂに示すように上ラックスライダ２１のボス部２１ｂがトリガスライダ１４のガイド溝１４ｂに係合して、ボス部２１ｂがガイド溝１４ｂの側壁を押すため、トリガスライダ１４がＲ方向へ移動する。このとき、トリガスライダ１４のボス部１４ａがカムスライダ１２のカム溝１２ｆの側壁を押すため、カムスライダ１２がＲ方向へ移動し、カムスライダ１２のラック部１２ａがギヤ４５と噛み合う。
【００３３】
このとき、モータ１０の逆転駆動力を受けてギヤ４３が時計回りに回転し、ギヤ４４が反時計回りに回転し、ギヤ４５が時計回りに回転しているので、ラック部１２ａがギヤ４５と噛み合ったことで、カムスライダ１２がラック部１２ａをギヤ４５にＲ方向へ送られて、図３Ｃに示すようにさらにＲ方向へ移動する。このとき、カムスライダ１２のリブ部１２ｂがギヤ４６の上面に当接して、ギヤ４６をコイルばね１９の弾性力に打ち勝つ押圧力で下方（他方の軸方向）Ｄへ移動させるため、ギヤ４６の下歯部４６ｂとギヤ４７の左歯部４７ａとが噛み合い、搬送ローラ３１へのモータ１０の駆動力の伝達経路が連結状態になる。これにより、ギア４１〜４６によって伝達されたモータ１０の逆転駆動力を受けて、ギヤ４７が図４のＲ方向側から見て時計回りの方向へ回転し、ギヤ４８と搬送ローラ３１とが図４のＲ方向側から見て反時計回りの方向へ回転する。
【００３４】
そして、図３Ｄおよび図５Ｂ（ａ）に示すようにカムスライダ１２が最もＲ方向へ移動して、ギヤ４５がＵ形溝２１ｃの奥（Ｌ方向側）まで入り込むと、ラック部１２ａとギヤ４５とが噛み合わなくなり、カムスライダ１２が移動を停止する。このとき、サポートプレート１３のボス部１３ａがカムスライダ１２のガイド溝１２ｄのＬ方向側の端に位置しているので、この直前にボス部１３ａがガイド溝１２ｄの側壁を押したことにより、カムスライダ１２がＢ方向側へ若干移動している。また、図５Ｂ（ｂ）に示すようにシャーシ１１のボス部１１ｂがカムスライダ１２のカム溝１２ｅの下部（Ｄ方向側）に位置しているので、シャーシ１１がＢ方向側へ向けて下がるように下降傾斜した姿勢を維持している。このため、ターンテーブル１６も下降し、ターンテーブル１６とクランパとによる光ディスク２のチャックが解除されて、光ディスク２が搬送ローラ３１に当接する。そして、上述した搬送ローラ３１の回転により、光ディスク２がＢ方向へ搬送されて、前述の出し入れ部６、７から外部へ突出し、光ディスクドライブ３および光ディスクプレーヤ１から取り出し可能となる。光ディスク２が出し入れ部６、７から取り出し可能に突出すると、当該状態が前述のセンサによって検出されて、モータ１０が逆転駆動を停止し、ギヤ４１〜４８および搬送ローラ３１の回転を停止させる。
【００３５】
一方、光ディスク２を光ディスクプレーヤ１および光ディスクドライブ３の内部へ取り込む際は、図３Ｄおよび図５Ｂに示す状態から、光ディスク２が出し入れ部６、７を通してＦ方向に挿入されると、当該挿入状態が前述のセンサによって検出されて、モータ１０が正転駆動する。または、光ディスク２が出し入れ部６、７からＦ方向に挿入された後に、操作部８の搬送ボタンが操作されると、モータ１０が正転駆動する。モータ１０が正転駆動すると、ギヤ４１が反時計回りに回転し、ギヤ４２の歯部４２ａ〜４２ｃが全て時計回りに回転し、ギヤ４３が反時計回りに回転し、ギヤ４４が時計回りに回転し、ギヤ４５が反時計回りに回転し、ギヤ４６が時計回りに回転する。また、ギヤ４６の下歯部４６ｂとギヤ４７の左歯部４７ａとが噛み合って、搬送ローラ３１へのモータ１０の駆動力の伝達経路が連結状態になっているので、ギヤ４７が図４のＲ方向側から見て反時計回りの方向へ回転し、ギヤ４８と搬送ローラ３１とが図４のＲ方向側から見て時計回りの方向へ回転する。これにより、光ディスク２が搬送ローラ３１によってＦ方向へ搬送されて行く。
【００３６】
また、ギヤ４１が反時計回りに回転し、ギヤ４２の歯部４２ａ〜４２ｃが全て時計回りに回転すると、上ラックスライダ２１が単独でＦ方向へ移動する。このとき、図３Ｄに示すように上ラックスライダ２１のボス部２１ｂがトリガスライダ１４のガイド溝１４ｂに係合しているため、上ラックスライダ２１単独のＦ方向への移動により、ガイド溝１４ｂの側壁がボス部２１ｂに押されて、トリガスライダ１４がＬ方向へ移動する。またこのとき、図５Ｂ（ｂ）に示すようにトリガスライダ１４のボス部１４ａがカムスライダ１２のカム溝１２ｆの下部に位置していて、図３Ｄに示すようにサポートスライダ１３のボス部１３ａがカムスライダ１２のガイド溝１２ｄのＬ方向側の端に位置しているため、トリガスライダ１４のＬ方向への移動により、カム溝１２ｆの側壁がボス部１４ａに押され、ガイド溝１２ｄの側壁がボス部１３ａに押されて、カムスライダ１２がＬ方向とＢ方向とへ移動し、カムスライダ１２のラック部１２ａがギヤ４５と噛み合う。
【００３７】
このとき、モータ１０の正転駆動力を受けてギヤギヤ４５が反時計回りに回転しているので、ラック部１２ａがギヤ４５と噛み合ったことで、カムスライダ１２がラック部１２ａをギヤ４５にＬ方向へ送られて、図３Ｃから図３Ｂに示すようにさらにＬ方向へ移動する。そして、カムスライダ１２のＬ方向への移動により、図５Ａに示すようにカムスライダ１２のリブ部１２ｂがギヤ４６の上面から離間すると、ギヤ４６がコイルばね１９の弾性力によって上方Ｕへ移動するため、ギヤ４６の下歯部４６ｂとギヤ４７の左歯部４７ａとが噛み合わなくなり、搬送ローラ３１へのモータ１０の駆動力の伝達経路が切断状態になる。これにより、ギヤ４７、４８および搬送ローラ３１の回転が停止し、光ディスク２のＦ方向への搬送が停止する。
【００３８】
光ディスク２のＦ方向への搬送が停止したとき、光ディスク２は既に光ディスクドライブ３の内部へ搬送されている。また、カムスライダ１２がＬ方向へ移動したことで、シャーシ１１のボス部１１ｂがカムスライダ１２のカム溝１２ｅの側壁に押し上げられて、図５Ａ（ｂ）に示すようにカム溝１２ｅの上部に位置している。つまり、このときシャーシ１１が下ケース５と平行になるように上昇した姿勢を維持していて、ターンテーブル１６がクランパとの間に光ディスク２をチャックしている。また、光ディスク２が搬送ローラ３１から離間している。また、上ラックスライダ２１のボス部２１ｂがトリガスライダ１４のガイド溝１４ｂから離れて、トリガスライダ１４がＬ方向への移動を停止している。さらに、上下ラックスライダ２１、２２のラック部２１ａ、２２ａとギヤ４２の上段歯部４２ｃとが噛み合っている。光ディスク２をターンテーブル１６等によりチャックした状態が前述のセンサによって検出されると、モータ１０が正転駆動を停止し、ギヤ４１〜４６の回転を停止させる。
【００３９】
この後、操作部８の再生ボタンが操作されて、上記のように内部へ取り込んだ光ディスク２の記録情報を再生する際は、スピンドルモータ１５が駆動して、光ディスク２を回転させる。また、モータ１０が駆動して、ギヤ４１、４２を回転させ、上下ラックスライダ２１、２２をＦ、Ｂ方向へ移動させて、光ピックアップ２０を光ディスク２の径方向Ｆ、Ｂへ移動させる。さらに、光ピックアップ２０が移動しながら、光ディスク２の情報記録面にレーザー光を照射させて、光ディスク２から情報を読み取り、光ディスクプレーヤ１の信号処理部がその読み取った情報を再生する。光ピックアップ２０を移動させている際、上述したようにギヤ４６の下歯部４６ｂとギヤ４７の左歯部４７ａとが噛み合っていないので、ギヤ４７、４８および搬送ローラ３１が回転することはない。
【００４０】
以上のようにすると、カムスライダ１２がギヤ４１〜４５によって伝達された単一のモータ１０の駆動力を受けてＬ方向へ移動することで、リブ部１２ｂがギヤ４６から離間し、ギヤ４６がコイルばね１９の弾性力によって軸方向Ｕへ上昇して、ギヤ４７と噛み合わなくなり、搬送ローラ３１へのモータ１０の駆動力の伝達経路を切断状態にすることができる。また、シャーシ１１が上昇して、ターンテーブル１６等により光ディスク２をチャック状態にすることができる。そしてこれらの状態で、スピンドルモータ１５等により光ディスク２を回転させ、モータ１０の駆動力をギヤ４１、４２によってラックスライダ２１、２２に伝達して、光ピックアップ２０を光ディスク２の径方向Ｆ、Ｂへ移動させながら、光ピックアップ２０により光ディスク２の記録情報を読み取って再生することができ、この再生の際、モータ１０の駆動力がギヤ４６からギヤ４７、４８および搬送ローラ３１に伝達されることはなく、ギヤ４７、４８および搬送ローラ３１を光ピックアップ２の移動に同調して動作させないようにすることができる。
【００４１】
また、カムスライダ１２がギヤ４１〜４５によって伝達されたモータ１０の駆動力を受けてＲ方向へ移動することで、リブ部１２ｂがギヤ４６に当接し、ギヤ４６がカムスライダ１２から受ける押圧力によって軸方向Ｄへ下降して、ギヤ４７と噛み合い、搬送ローラ３１へのモータ１０の駆動力の伝達経路を連結状態にすることができる。また、シャーシ１１が下降して、ターンテーブル１６等による光ディスク２のチャックを解除した状態にすることができる。そしてこれらの状態で、搬送ローラ３がギヤ４１〜４８によって伝達されるモータ１０の駆動力を受けて回転し、光ディスク２を光ディスクドライブ３および光ディスクプレーヤ１の内部または外部へ搬送することができ、この搬送の際、ターンテーブル１６等のディスクチャック機構に光ディスク２の搬送を邪魔されることはない。
【００４２】
さらに、カムスライダ１２がディスクチャック機構の一構成部品であるとともに、モータ１０の駆動力を搬送ローラ３１に伝達する状態と伝達しない状態とを切り替えるための部品でもあり、当該伝達状態の切り替えのために搬送ローラ３１の位置を移動させる必要がないので、従来に比べて部品点数が少なくなり、構造が簡単になる。また加えて、カムスライダ１２が移動してギヤ列４０の１のギヤ４６に対して当接しまたは離間することで、当該ギヤ４６がカムスライダ１２の押圧力またはコイルばね１９の弾性力によって軸方向Ｕ、Ｄへ移動して、隣接するギヤ４７に噛み合いまたは噛み合わなくなり、搬送ローラ３１へのモータ１０の駆動力の伝達経路が切断されまたは連結されるので、搬送ローラ３１へのモータ１０の駆動力の伝達状態を切り替えるための構造がより簡単になる。
【００４３】
よって、光ディスク２の記録情報の再生を行う際に、部品点数が少なく簡単な構造で、ギヤ４７、４８および搬送ローラ３１を動作させないようにすることが可能となる。またこの結果、光ディスク２の記録情報の再生を行う際に、モータ１０にかかる負荷と電力消費量と騒音とをそれぞれ低減することが可能となる。
【００４４】
本発明は、以上述べた実施形態以外にも種々の形態を採用することができる。例えば、以上の実施形態では、搬送ローラ３１の回転により、光ディスク２を内部または外部へ搬送するスロットイン方式のディスク搬送機構を備えた光ディスクドライブ３および光ディスクプレーヤ１に、本発明を適用した例を挙げているが、本発明は、これ以外にも、搬送ローラに代えて、光ディスクが載置されるトレイの移動により、光ディスクを内部または外部へ搬送するトレイ方式のディスク搬送機構や、光ディスクを保持するホルダの移動により、光ディスクを内部または外部へ搬送するホルダ方式のディスク搬送機構を備えた光ディスク処理装置に適用することが可能である。
【００４５】
図６は、上記のような他の実施形態を示す図である。なお、図中、前述の図２〜図５Ｂに示した部分と同一部分には、同一符号を付してある。図６において、５０は従来のトレイまたはホルダに相当するトレイホルダである。このトレイホルダ５０は、上面に設けられた受け部５０ａに光ディスク２を受けて保持する。トレイホルダ５０の下面には、前述のギヤ列４０の一構成部品であるギヤ４８と噛み合うラック部５０ｂが設けられている。光ディスク２の記録情報を再生する際は、図６（ａ）に示すようにカムスライダ１２がＬ方向へ移動することにより、リブ部１２ａがギヤ４６から離間し、ギヤ４６がコイルばね１９の弾性力によって上方Ｕへ移動してギヤ４７と噛み合わなくなり、ギヤ４７、４８およびトレイホルダ５０へのモータ１０の駆動力の伝達経路が切断状態となる。また、光ディスク２を光ディスクドライブ３の内部または外部へ搬送する際は、図６（ｂ）に示すようにカムスライダ１２がＲ方向へ移動することにより、リブ部１２ａがギヤ４６に当接し、ギヤ４６がカムスライダ１２から受ける押圧力によって下方Ｄへ移動してギヤ４７と噛み合い、ギヤ４７、４８およびトレイホルダ５０へのモータ１０の駆動力の伝達経路が連結状態となる。
【００４６】
以上の実施形態では、光ディスク２の記録情報を再生する据置型の光ディスクプレーヤ１に、本発明を適用した例を挙げているが、本発明は、これ以外にも、光ディスクに情報を記録する光ディスクレコーダや、テレビ、ＰＣ、車等に組み込まれる光ディスクドライブユニットのような光ディスク処理装置に適用することが可能である。つまり、本発明に係る光ディスク処理装置には、光ディスクプレーヤ１のような最終製品だけでなく、光ディスクドライブのような組み込みユニットも含まれ、要するに、光ピックアップにより光ディスクに対して情報の処理が行える装置であればよい。
【図面の簡単な説明】
【００４７】
【図１】光ディスクプレーヤと光ディスクを示す図である。
【図２】光ディスクドライブの上ケースの図示を省略した平面図である
【図３Ａ】光ディスクドライブのギヤ列とカムスライダの近傍の平面図である。
【図３Ｂ】光ディスクドライブのギヤ列とカムスライダの近傍の平面図である。
【図３Ｃ】光ディスクドライブのギヤ列とカムスライダの近傍の平面図である。
【図３Ｄ】光ディスクドライブのギヤ列とカムスライダの近傍の平面図である。
【図４】光ディスクドライブのギヤ列近傍の斜視図である。
【図５Ａ】光ディスクドライブのカムスライダ近傍の斜視図と正面図である。
【図５Ｂ】光ディスクドライブのカムスライダ近傍の斜視図と正面図である。
【図６】他の実施形態を示す図である。
【符号の説明】
【００４８】
１    光ディスクプレーヤ
２    光ディスク
３    光ディスクドライブ
１０  単一のモータ
１１  シャーシ
１２  カムスライダ
１６  ターンテーブル
１９  コイルばね
２０  光ピックアップ
２１  上ラックスライダ
２２  下ラックスライダ
３１  搬送ローラ
４０  ギヤ列
４６  １のギヤ
４７  他のギヤ
５０  トレイホルダ
Ｂ、Ｆ光ディスクの径方向
Ｄ  １のギヤの他方の軸方向
Ｌ  ギヤ列から離れる方向
Ｒ  ギヤ列に近づく方向
Ｕ  １のギヤの一方の軸方向
【図１】
2006202455.tif 000003
【図２】
2006202455.tif 000004
【図３Ａ】
2006202455.tif 000005
【図３Ｂ】
2006202455.tif 000006
【図３Ｃ】
2006202455.tif 000007
【図３Ｄ】
2006202455.tif 000008
【図４】
2006202455.tif 000009
【図５Ａ】
2006202455.tif 000010
【図５Ｂ】
2006202455.tif 000011
【図６】
2006202455.tif 000012